【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
ヒトや動物の組織を接続するための返しとげ付き縫合糸であって、該縫合糸は（ａ）第１の端部及び第２の端部とを有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１００，９７，１２５，１２７，１２９，１１５）は約１４０度から約１７５度までの範囲にある返しとげ切削角度θを備えた構成を有していることを特徴とする返しとげ付き縫合糸。
【請求項２】
前記返しとげ切削角度θは約１５２度から約１６５度までの範囲にある請求項１に記載の返しとげ付き縫合糸。
【請求項３】
前記返しとげ切削角度θは約１５２度から約１６３度までの範囲にあることを特徴とする請求項２に記載の返しとげ付き縫合糸。
【請求項４】
前記返しとげは少なくとも２つの組の返しとげ（１２５，１２７）で構成されており、その各返しとげ組がそれ以外の組の返しとげ・サイズと異なる返しとげ・サイズを有していることを特徴とする請求項１に記載の返しとげ付き縫合糸。
【請求項５】
前記縫合糸が生体吸収可能な材料、吸収不可能な材料、及びこれらの組み合わせからなる群より選択された材料から製作されていることを特徴とする請求項１に記載の返しとげ付き縫合糸。
【請求項６】
前記生体吸収可能な材料は、ポリジオキサノン、ポリラクチド、ポリグリコリド、ポリカプロラクトン、及びこれらの組み合わせからなる群より選択されていることを特徴とする請求項５に記載の返しとげ付き縫合糸。
【請求項７】
前記吸収不可能な材料は、ポリマー、金属、金属合金、天然繊維、及びこれらの組み合わせからなる群より選択されていることを特徴とする請求項５に記載の返しとげ付き縫合糸。
【請求項８】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項７に記載の返しとげ付き縫合糸。
【請求項９】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有していることを特徴とする請求項１に記載の返しとげ付き縫合糸。
【請求項１０】
ヒトや動物の組織を接続するための返しとげ付き縫合糸であって、該縫合糸は（ａ）第１の端部及び第２の端部と１つの直径とを有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１０７，１２５，１２７，１２９，１１５）は、前記縫合糸直径（ＳＤ）に対するその深度（Ｄ）の比が約０．０５から約０．６までの範囲にある返しとげ切削深度（Ｄ）を備えた構成を有している返しとげ付き縫合糸。
【請求項１１】
前記縫合糸直径（ＳＤ）に対する前記返しとげ切削深度（Ｄ）の前記比は約０．３から約０．５５までの範囲にあることを特徴とする請求項１０に記載の返しとげ付き縫合糸。
【請求項１２】
前記縫合糸直径（ＳＤ）に対する前記返しとげ切削深度（Ｄ）の前記比は約０．４から約０．５までの範囲にあることを特徴とする請求項１１に記載の返しとげ付き縫合糸。
【請求項１３】
前記返しとげは少なくとも２つの組の返しとげ（１２５，１２７）で構成されており、その各返しとげ組がそれ以外の組の返しとげサイズと異なる返しとげサイズを有していることを特徴とする請求項１０に記載の返しとげ付き縫合糸。
【請求項１４】
前記縫合糸が生体吸収可能な材料、吸収不可能な材料、及びこれらの組み合わせからなる群より選択された材料から製作されていることを特徴とする請求項１０に記載の返しとげ付き縫合糸。
【請求項１５】
前記生体吸収可能な材料は、ポリジオキサノン、ポリラクチド、ポリグリコリド、ポリカプロラクトン、及びこれらの組み合わせからなる群より選択されていることを特徴とする請求項１４に記載の返しとげ付き縫合糸。
【請求項１６】
前記吸収不可能な材料は、ポリマー、金属、金属合金、天然繊維、及びこれらの組み合わせからなる群より選択されていることを特徴とする請求項１４に記載の返しとげ付き縫合糸。
【請求項１７】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項１６に記載の返しとげ付き縫合糸。
【請求項１８】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有していることを特徴とする請求項１０に記載の返しとげ付き縫合糸。
【請求項１９】
ヒトや動物の組織を接続するための返しとげ付き縫合糸であって、該縫合糸は（ａ）第１の端部及び第２の端部と１つの直径とを有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１２５，１２７，１２９，１１５）は前記縫合糸直径（ＳＤ）に対する返しとげの切削長さ（Ｌ）の比が約０．２から約２までの範囲にある返しとげ切削長さ（Ｌ）を備えた構成を有していることを特徴とする返しとげ付き縫合糸。
【請求項２０】
前記縫合糸直径（ＳＤ）に対する前記返しとげ長さ（Ｌ）の前記比は約０．４から約１．７までの範囲にあることを特徴とする請求項１９に記載の返しとげ付き縫合糸。
【請求項２１】
前記縫合糸直径（ＳＤ）に対する前記返しとげ長さ（Ｌ）の前記比は約０．８から約１．５までの範囲にあることを特徴とする請求項２０に記載の返しとげ付き縫合糸。
【請求項２２】
前記返しとげは少なくとも２つの組の返しとげ（１２５，１２７）で構成されており、その各返しとげ組がそれ以外の組の返しとげ・サイズと異なる返しとげ・サイズを有している請求項１９に記載の返しとげ付き縫合糸。
【請求項２３】
前記縫合糸は、生体吸収可能な材料、吸収不可能な材料、及びこれらの組み合わせからなる群より選択された材料から製作されていることを特徴とする請求項１９に記載の返しとげ付き縫合糸。
【請求項２４】
前記生体吸収可能な材料は、ポリジオキサノン、ポリラクチド、ポリグリコリド、ポリカプロラクトン、及びこれらの組み合わせからなる群より選択されていることを特徴とする請求項２３に記載の返しとげ付き縫合糸。
【請求項２５】
前記吸収不可能な材料は、ポリマー、金属、金属合金、天然繊維、及びこれらの組み合わせからなる群より選択されていることを特徴とする請求項２３に記載の返しとげ付き縫合糸。
【請求項２６】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項２５に記載の返しとげ付き縫合糸。
【請求項２７】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有していることを特徴とする請求項１９に記載の返しとげ付き縫合糸。
【請求項２８】
ヒトや動物の組織を接続するための返しとげ付き縫合糸であって、該縫合糸は（ａ）第１の端部及び第２の端部と１つの直径とを有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１０７，１２５，１２７，１２９，１１５）は、前記縫合糸直径（ＳＤ）に対するその切削距離（Ｐ）の比が約０．１から約６までの範囲にある返しとげ切削距離（Ｐ）を含む構成を有していることを特徴とする返しとげ付き縫合糸。
【請求項２９】
前記縫合糸直径（ＳＤ）に対する前記返しとげ切削距離（Ｐ）の前記比は約１から約３．５までの範囲にあることを特徴とする請求項２８に記載の返しとげ付き縫合糸。
【請求項３０】
前記縫合糸直径（ＳＤ）に対する前記返しとげ切削距離（Ｐ）の前記比は約１．５から約２．５までの範囲にあることを特徴とする請求項２９に記載の返しとげ付き縫合糸。
【請求項３１】
前記返しとげは少なくとも２つの組の返しとげ（１２５，１２７）で構成されており、その各返しとげ組がそれ以外の組の返しとげ・サイズと異なる返しとげ・サイズを有していることを特徴とする請求項２８に記載の返しとげ付き縫合糸。
【請求項３２】
前記縫合糸が生体吸収可能な材料、吸収不可能な材料、及びこれらの組み合わせからなる群より選択された材料から製作されていることを特徴とする請求項２８に記載の返しとげ付き縫合糸。
【請求項３３】
前記生体吸収可能な材料は、ポリジオキサノン、ポリラクチド、ポリグリコリド、ポリカプロラクトン、及びこれらの組み合わせからなる群より選択されていることを特徴とする請求項３２に記載の返しとげ付き縫合糸。
【請求項３４】
前記吸収不可能な材料は、ポリマー、金属、金属合金、天然繊維、及びこれらの組み合わせからなる群より選択されていることを特徴とする請求項３２に記載の返しとげ付き縫合糸。
【請求項３５】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項３４に記載の返しとげ付き縫合糸。
【請求項３６】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有していることを特徴とする請求項２８に記載の返しとげ付き縫合糸。
【請求項３７】
ヒトや動物の組織を接続するための返しとげ付き縫合糸であって、該縫合糸は（ａ）第１の端部及び第２の端部と１つの直径とを有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１００，９７，１２５，１２７，１２９，１１５）は波形の返しとげ下面（１０８）を備えた構成を有していることを特徴とする返しとげ付き縫合糸。
【請求項３８】
前記返しとげは少なくとも２つの組の返しとげ（１２５，１２７）で構成されており、その各返しとげ組がそれ以外の組の返しとげ・サイズと異なる返しとげ・サイズを有していることを特徴とする請求項３７に記載の返しとげ付き縫合糸。
【請求項３９】
前記縫合糸が生体吸収可能な材料、吸収不可能な材料、及びこれらの組み合わせからなる群より選択された材料から製作されていることを特徴とする請求項３７に記載の返しとげ付き縫合糸。
【請求項４０】
前記生体吸収可能な材料は、ポリジオキサノン、ポリラクチド、ポリグリコリド、ポリカプロラクトン、及びこれらの組み合わせからなる群より選択されることを特徴とする請求項３９に記載の返しとげ付き縫合糸。
【請求項４１】
前記吸収不可能な材料は、ポリマー、金属、金属合金、天然繊維、及びこれらの組み合わせからなる群より選択されていることを特徴とする請求項３９に記載の返しとげ付き縫合糸。
【請求項４２】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項４１に記載の返しとげ付き縫合糸。
【請求項４３】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択されていることを特徴とする請求項３７に記載の返しとげ付き縫合糸。
【請求項４４】
ヒトや動物の組織を接続するための返しとげ付き縫合糸であって、該縫合糸は（ａ）第１の端部、第２の端部、及び１つの直径を有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１０７，１２５，１２７，１２９，１１５）は弓形の返しとげ基部（１１９）を備えた構成を有していることを特徴とする返しとげ付き縫合糸。
【請求項４５】
前記返しとげは少なくとも２つの組の返しとげ（１２５，１２７）で構成されており、その各返しとげ組がそれ以外の組の返しとげ・サイズと異なる返しとげ・サイズを有していることを特徴とする請求項４４に記載の返しとげ付き縫合糸。
【請求項４６】
前記縫合糸が生体吸収可能な材料、吸収不可能な材料、及びこれらの組み合わせからなる群より選択された材料から製作されていることを特徴とする請求項４４に記載の返しとげ付き縫合糸。
【請求項４７】
前記生体吸収可能な材料は、ポリジオキサノン、ポリラクチド、ポリグリコリド、ポリカプロラクトン、及びこれらの組み合わせからなる群より選択されていることを特徴とする請求項４６に記載の返しとげ付き縫合糸。
【請求項４８】
前記吸収不可能な材料は、ポリマー、金属、金属合金、天然繊維、及びこれらの組み合わせからなる群より選択されていることを特徴とする請求項４６に記載の返しとげ付き縫合糸。
【請求項４９】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項４８に記載の返しとげ付き縫合糸。
【請求項５０】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有している請求項４４に記載の返しとげ付き縫合糸。
【請求項５１】
ヒトや動物の組織を接続するための返しとげ付き縫合糸であって、該縫合糸は（ａ）第１の端部、第２の端部、及び１つの直径を有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１０７，１２５，１２７，１２９，１１５）はさまざまな返しとげ・サイズ（１２５，１２７，１２９）を備えた構成を有していることを特徴とする返しとげ付き縫合糸。
【請求項５２】
前記返しとげは少なくとも２つの組の返しとげ（１２５，１２７）で構成されており、その各返しとげ組がそれ以外の組の返しとげ・サイズと異なる返しとげ・サイズを有していることを特徴とする請求項５１に記載の返しとげ付き縫合糸。
【請求項５３】
前記縫合糸が生体吸収可能な材料、吸収不可能な材料、及びこれらの組み合わせからなる群より選択された材料から製作されていることを特徴とする請求項５１に記載の返しとげ付き縫合糸。
【請求項５４】
前記生体吸収可能な材料は、ポリジオキサノン、ポリラクチド、ポリグリコリド、ポリカプロラクトン、及びこれらの組み合わせからなる群より選択されていることを特徴とする請求項５３に記載の返しとげ付き縫合糸。
【請求項５５】
前記吸収不可能な材料は、ポリマー、金属、金属合金、天然繊維、及びこれらの組み合わせからなる群より選択されていることを特徴とする請求項５３に記載の返しとげ付き縫合糸。
【請求項５６】
前記ポリマーは、ポリアミド、ポリエステル、ポリプロピレン、ポリウレタン、ポリテトラフルオロエチレン、ポリエーテルエステル、及びこれらの組み合わせからなる群より選択されていることを特徴とする請求項５５に記載の返しとげ付き縫合糸。
【請求項５７】
前記返しとげは前記本体上で、返しとげ（７，９，３５，３７，３９，１７，１９，４７，４９，５１，１８，２０，４８，５０，５２）の千鳥配列、返しとげ（６７，７７，７８）のツイスト切削多重スパイラル配列、返しとげ（１３５）の重複配列、返しとげ（９７）のランダム配列、及びこれらの組み合わせからなる群より選択される配列を有することを特徴とする請求項５１に記載の返しとげ付き縫合糸。
【請求項５８】
ヒトや動物の組織を接続するための返しとげ付き縫合糸であって、該縫合糸は（ａ）第１の端部、第２の端部、及び１つの直径を有する細長い本体と、（ｂ）その各々がある１つの方向に向いていると共に組織内においてその返しとげが向いている方向と反対の方向への縫合糸の動きに逆らうように適合されている前記本体から突き出ている複数の返しとげと、を備えており、前記返しとげ（７，９，３５，３７，３９，１７，１９，４７，４９，５１，１８，２０，４８，５０，５２，６７，７７，７８，１３５，９７，１０７，１２５，１２７，１２９，１１５）は、（ｉ）約１４０°から約１７５°までの範囲にある返しとげ切削角θと、（ｉｉ）前記縫合糸直径（ＳＤ）に対するその深度（Ｄ）の比が約０．０５から約０．６までの範囲にある返しとげ切削深度（Ｄ）と、（ｉｉｉ）前記縫合糸直径に対するその切削長さ（Ｌ）の比が約０．２から約２までの範囲にある返しとげ切削長さ（Ｌ）と、（ｉｖ）前記縫合糸直径（ＳＤ）に対するその切削距離（Ｐ）の比が約０．１から約６までの範囲にある返しとげ切削距離（Ｐ）と、を有している返しとげ付き縫合糸。
【請求項５９】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項１に記載の縫合糸。
【請求項６０】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項２に記載の縫合糸。
【請求項６１】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項３に記載の縫合糸。
【請求項６２】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項１０に記載の縫合糸。
【請求項６３】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項１１に記載の縫合糸。
【請求項６４】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項１２に記載の縫合糸。
【請求項６５】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項１９に記載の縫合糸。
【請求項６６】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項２０に記載の縫合糸。
【請求項６７】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項２１に記載の縫合糸。
【請求項６８】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項２８に記載の縫合糸。
【請求項６９】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項２９に記載の縫合糸。
【請求項７０】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項３０に記載の縫合糸。
【請求項７１】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が波形の返しとげの裏面（１０８）を含む構成を有することを特徴とする請求項５８に記載の縫合糸。
【請求項７２】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項１に記載の縫合糸。
【請求項７３】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項２に記載の縫合糸。
【請求項７４】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項３に記載の縫合糸。
【請求項７５】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項１０に記載の縫合糸。
【請求項７６】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項１１に記載の縫合糸。
【請求項７７】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項１２に記載の縫合糸。
【請求項７８】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項１９に記載の縫合糸。
【請求項７９】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項２０に記載の縫合糸。
【請求項８０】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項２１に記載の縫合糸。
【請求項８１】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項２８に記載の縫合糸。
【請求項８２】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項２９に記載の縫合糸。
【請求項８３】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項３０に記載の縫合糸。
【請求項８４】
前記返しとげ（７，９，３５，３７，３９，１７，１９，４７，４９，５１，１８，２０，４８，５０，５２，６７，７７，７８，１３５，９７，１０７，１２５，１２７，１２９，１１５）が円弧状の返しとげベース（１１９）を含む構成を有することを特徴とする請求項５８に記載の縫合糸。
【請求項８５】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項１に記載の縫合糸。
【請求項８６】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項２に記載の縫合糸。
【請求項８７】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項３に記載の縫合糸。
【請求項８８】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項１０に記載の縫合糸。
【請求項８９】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項１１に記載の縫合糸。
【請求項９０】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項１２に記載の縫合糸。
【請求項９１】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項１９に記載の縫合糸。
【請求項９２】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項２０に記載の縫合糸。
【請求項９３】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項２１に記載の縫合糸。
【請求項９４】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項２８に記載の縫合糸。
【請求項９５】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項２９に記載の縫合糸。
【請求項９６】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項３０に記載の縫合糸。
【請求項９７】
前記返しとげ（７，９，３５，３７，３９，１７，１９，４７，４９，５１，１８，２０，４８，５０，５２，６７，７７，７８，１３５，９７，１０７，１２５，１２７，１２９，１１５）がさらに可変返しとげ寸法（１２５，１２７，１２９）を含む構成を有することを特徴とする請求項５８に記載の縫合糸。
【請求項９８】
前記細長い本体が円形切断面を有することを特徴とする請求項１に記載の縫合糸。
【請求項９９】
前記細長い本体が円形切断面を有することを特徴とする請求項２に記載の縫合糸。
【請求項１００】
前記細長い本体が円形切断面を有することを特徴とする請求項３に記載の縫合糸。
【請求項１０１】
前記細長い本体が円形切断面を有することを特徴とする請求項１０に記載の縫合糸。
【請求項１０２】
前記細長い本体が円形切断面を有することを特徴とする請求項１１に記載の縫合糸。
【請求項１０３】
前記細長い本体が円形切断面を有することを特徴とする請求項１２に記載の縫合糸。
【請求項１０４】
前記細長い本体が円形切断面を有することを特徴とする請求項１９に記載の縫合糸。
【請求項１０５】
前記細長い本体が円形切断面を有することを特徴とする請求項２０に記載の縫合糸。
【請求項１０６】
前記細長い本体が円形切断面を有することを特徴とする請求項２１に記載の縫合糸。
【請求項１０７】
前記細長い本体が円形切断面を有することを特徴とする請求項２８に記載の縫合糸。
【請求項１０８】
前記細長い本体が円形切断面を有することを特徴とする請求項２９に記載の縫合糸。
【請求項１０９】
前記細長い本体が円形切断面を有することを特徴とする請求項３０に記載の縫合糸。
【請求項１１０】
前記細長い本体が円形切断面を有することを特徴とする請求項５８に記載の縫合糸。
【請求項１１１】
前記細長い本体が非円形切断面を有することを特徴とする請求項１に記載の縫合糸。
【請求項１１２】
前記細長い本体が非円形切断面を有することを特徴とする請求項２に記載の縫合糸。
【請求項１１３】
前記細長い本体が非円形切断面を有することを特徴とする請求項３に記載の縫合糸。
【請求項１１４】
前記細長い本体が非円形切断面を有することを特徴とする請求項１０に記載の縫合糸。
【請求項１１５】
前記細長い本体が非円形切断面を有することを特徴とする請求項１１に記載の縫合糸。
【請求項１１６】
前記細長い本体が非円形切断面を有することを特徴とする請求項１２に記載の縫合糸。
【請求項１１７】
前記細長い本体が非円形切断面を有することを特徴とする請求項１９に記載の縫合糸。
【請求項１１８】
前記細長い本体が非円形切断面を有することを特徴とする請求項２０に記載の縫合糸。
【請求項１１９】
前記細長い本体が非円形切断面を有することを特徴とする請求項２１に記載の縫合糸。
【請求項１２０】
前記細長い本体が非円形切断面を有することを特徴とする請求項２８に記載の縫合糸。
【請求項１２１】
前記細長い本体が非円形切断面を有することを特徴とする請求項２９に記載の縫合糸。
【請求項１２２】
前記細長い本体が非円形切断面を有することを特徴とする請求項３０に記載の縫合糸。
【請求項１２３】
前記細長い本体が非円形切断面を有することを特徴とする請求項５８に記載の縫合糸。
【請求項１２４】
前記非円形断面が楕円形、三角形、四角形、平行パイプ形、台形、偏菱形、五角形、六角形、十字形およびその組合せからなるグループから選択された形状を有することを特徴とする請求項１１５に記載の縫合糸。
【請求項１２５】
前記非円形断面が楕円形、三角形、四角形、平行パイプ形、台形、偏菱形、五角形、六角形、十字形およびその組合せからなるグループから選択された形状を有することを特徴とする請求項１１６に記載の縫合糸。
【請求項１２６】
前記非円形断面が楕円形、三角形、四角形、平行パイプ形、台形、偏菱形、五角形、六角形、十字形およびその組合せからなるグループから選択された形状を有することを特徴とする請求項１１７に記載の縫合糸。
【請求項１２７】
前記非円形断面が楕円形、三角形、四角形、平行パイプ形、台形、偏菱形、五角形、六角形、十字形およびその組合せからなるグループから選択された形状を有することを特徴とする請求項１１８に記載の縫合糸。
【請求項１２８】
前記非円形断面が楕円形、三角形、四角形、平行パイプ形、台形、偏菱形、五角形、六角形、十字形およびその組合せからなるグループから選択された形状を有することを特徴とする請求項１１９に記載の縫合糸。
【請求項１２９】
前記非円形断面が楕円形、三角形、四角形、平行パイプ形、台形、偏菱形、五角形、六角形、十字形およびその組合せからなるグループから選択された形状を有することを特徴とする請求項１２０に記載の縫合糸。
【請求項１３０】
前記非円形断面が楕円形、三角形、四角形、平行パイプ形、台形、偏菱形、五角形、六角形、十字形およびその組合せからなるグループから選択された形状を有することを特徴とする請求項１２１に記載の縫合糸。
【請求項１３１】
前記非円形断面が楕円形、三角形、四角形、平行パイプ形、台形、偏菱形、五角形、六角形、十字形およびその組合せからなるグループから選択された形状を有することを特徴とする請求項１２２に記載の縫合糸。
【請求項１３２】
前記非円形断面が楕円形、三角形、四角形、平行パイプ形、台形、偏菱形、五角形、六角形、十字形およびその組合せからなるグループから選択された形状を有することを特徴とする請求項１２３に記載の縫合糸。
【請求項１３３】
前記非円形断面が楕円形、三角形、四角形、平行パイプ形、台形、偏菱形、五角形、六角形、十字形およびその組合せからなるグループから選択された形状を有することを特徴とする請求項１２４に記載の縫合糸。
【請求項１３４】
前記非円形断面が楕円形、三角形、四角形、平行パイプ形、台形、偏菱形、五角形、六角形、十字形およびその組合せからなるグループから選択された形状を有することを特徴とする請求項１２５に記載の縫合糸。
【請求項１３５】
前記非円形断面が楕円形、三角形、四角形、平行パイプ形、台形、偏菱形、五角形、六角形、十字形およびその組合せからなるグループから選択された形状を有することを特徴とする請求項１２６に記載の縫合糸。
【請求項１３６】
前記非円形断面が楕円形、三角形、四角形、平行パイプ形、台形、偏菱形、五角形、六角形、十字形およびその組合せからなるグループから選択された形状を有することを特徴とする請求項１２７に記載の縫合糸。